(57)【要約】【課題】再利用を不可能にする破壊機能付きのＩＣタグを提供する。【解決手段】ＩＣタグ１のアンテナ回路１１およびＩＣチップ１５等を含むインレット２５の上下または片側に粘着度に強弱のある粘着層３１、３３を設ける。離型紙付の強粘着層３５の上面に強弱あり粘着層ｂ３７を貼り付け、その上面にインレット２５、その上面に強弱あり粘着層ａ３１、その上面に上紙２１を貼り付ける。強弱あり粘着層ａ３１、ｂ３７に使用する強弱あり粘着シート５１は、ロール状のシートであり、シートの進行方向に垂直、あるいは水平に、帯状あるいは波状の強粘着部分と弱粘着部分が交互に設けられる。インレット２５の上下に配する強弱あり粘着シート５１には、強弱部分の形状の異なるもの、シート幅の異なるものを使用する。また、強弱部分の形状が同じものを使用する場合には、インレット２５の上下で強粘着部分がずれるように配置する。【選択図】図１
2009093448.tif 000002
【特許請求の範囲】
【請求項１】
ＩＣタグ内に、異なる粘着強度が混在する粘着層を設けることを特徴とするＩＣタグ。
【請求項２】
前記粘着層は強粘着部分と弱粘着部分が交互に設けられた粘着シートであることを特徴とする請求項１記載のＩＣタグ。
【請求項３】
ＩＣタグ内のＩＣチップおよびアンテナ回路からなるインレット層の上下に前記粘着層を設けることを特徴とする請求項１または請求項２記載のＩＣタグ。
【請求項４】
前記インレット層の上下に設ける２つの前記粘着層は、上側の前記粘着層の強粘着部分と、下側の前記粘着層の強粘着部分の位置がずれるように設けられることを特徴とする請求項１から請求項３のいずれかに記載のＩＣタグ。
【請求項５】
前記上側の前記粘着層と前記下側の前記粘着層に異なる幅の前記粘着シートを用いることを特徴とする請求項１から請求項４のいずれかに記載のＩＣタグ。
【請求項６】
前記粘着シートはロール状のシートであり、シートの伸長方向と垂直に強粘着部分と弱粘着部分が交互に設けられることを特徴とする請求項１から請求項５のいずれかに記載のＩＣタグ。
【請求項７】
前記粘着シートはロール状のシートであり、シートの伸長方向と同一方向に強粘着部分と弱粘着部分が交互に設けられることを特徴とする請求項１から請求項５のいずれかに記載のＩＣタグ。
【請求項８】
前記粘着シートの強粘着部分と弱粘着部分は波型に交互に設けられることを特徴とする請求項１から請求項７のいずれかに記載のＩＣタグ。
【請求項９】
前記インレット層の上下に設ける２つの前記粘着層には、粘着部分の形状の異なる前記粘着シートを用いることを特徴とする請求項１から請求項８のいずれかに記載のＩＣタグ。
【請求項１０】
前記弱粘着層は粘着力が無い（粘着強度ゼロ）であることを特徴とする請求項１から請求項９のいずれかに記載のＩＣタグ。
【請求項１１】
前記インレット層の上側または下側に前記粘着層を設けることを特徴とする請求項１、請求項２、請求項６から請求項８のいずれかに記載のＩＣタグ。
【請求項１２】
ＩＣチップおよびアンテナ回路から成るインレット層の破壊機能を持つＩＣタグの製造方法であって、
基材上に強粘着部分と弱粘着部分が交互に設けられた第１の粘着シートを貼り合せる工程（ａ）と、
前記第１の粘着シート上に前記インレット層を貼り合せる工程（ｂ）と、
前記インレット層上に強粘着部分と弱粘着部分が交互に設けられた第２の粘着シートを貼り合せる工程（ｃ）と、
前記第２の粘着シート上に上紙を貼り合せる工程（ｄ）と、
を有することを特徴とするＩＣタグの製造方法。
【請求項１３】
前記第１の粘着シートと前記第２の粘着シートは、前記第１の粘着シートの強粘着部分と、前記第２の粘着シートの強粘着部分の位置が上下でずれるように設けられることを特徴とする請求項１２記載のＩＣタグの製造方法。
【請求項１４】
前記基材、前記第１および第２の粘着シート、および、前記上紙はロール状のシートであり、前記インレット層は、複数のＩＣタグ用インレットを含むロール状のシートであり、前記工程（ａ）、前記工程（ｂ）、前記工程（ｃ）、前記工程（ｄ）により複数のＩＣタグを含むシートが製造された後、個々のＩＣタグに切断されることを特徴とする請求項１２または請求項１３に記載のＩＣタグの製造方法。
【発明の詳細な説明】
【技術分野】
【０００１】
本発明は、ＩＣタグに関し、詳しくは、添付面から剥がすと再利用を不可能にするためＩＣタグが破壊されるＩＣタグおよびその製造方法に関する。
【背景技術】
【０００２】
無線技術の進歩に伴い、無線技術を用いた識別方法であるＲＦＩＤ（Radio Frequency Identification）を利用した商品管理システムが開発され、ＩＣタグやＩＣラベルが使用され始めている。ＩＣタグは、外部のＩＣタグ・ライタとの無線通信により商品等に関する情報が記録され、外部のＩＣタグ・リーダとの無線通信により、ＩＣタグ内に記録されている情報が読み出される。ＩＣタグに記録される情報により、商品の品質管理や在庫管理、販売管理、物流管理等が行うことが可能になる。
【０００３】
ＩＣタグは、基材と、アンテナ回路およびＩＣチップを含むインレット、インレットを保護する封止材等の層構造を成しており、書き込み/読み取りされる情報は、ＩＣチップのメモリーに蓄積される。
【０００４】
ＩＣタグ内に記録されている情報は、通常、上記の品質管理、在庫管理、販売管理、物流管理等の正規の意図した目的で読み取られるが、ＩＣタグ・リーダがあればＩＣタグ内の情報を読み取ることは容易であり、第三者が故意に読み取り、読み取った情報を悪用することもありえる。これは、個人情報保護、プライバシー保護の観点から大きな問題である。
【０００５】
これに対して、上記の品質管理、在庫管理、販売管理、流通管理等の初期の目的を達した後に、ＩＣタグを剥がすことにより、ＩＣタグの機能を破壊する方法が提案されている（特許文献１）。
【特許文献１】特開２００５−７８１７２号公報
【発明の開示】
【発明が解決しようとする課題】
【０００６】
しかしながら、上記提案の方法では、ＩＣタグのアンテナ回路とＩＣチップの結線は切れるものの、アンテナ回路およびＩＣチップ自体は破壊されずにきれいな状態で残るため、完全に再利用を不可能にすることはできないという問題がある。
【０００７】
本発明は、このような問題に鑑みてなされたもので、その目的とするところは、再利用を不可能にする破壊機能付きのＩＣタグを提供することである。
【課題を解決するための手段】
【０００８】
前述した課題を解決するための第１の発明は、ＩＣタグ内に、異なる粘着強度が混在する粘着層を設けることを特徴とするＩＣタグである。前記粘着層は強粘着部分と弱粘着部分が交互に設けられた粘着シートである。
そして、ＩＣタグ内のＩＣチップおよびアンテナ回路からなるインレット層の上下に前記粘着層を設ける。前記インレット層の上下に設ける２つの前記粘着層は、上側の前記粘着層の強粘着部分と、下側の前記粘着層の強粘着部分の位置が上下でずれるように設けられる。
また、前記上側の前記粘着層と前記下側の前記粘着層に異なる幅の前記粘着シートを用いるようにしてもよい。
【０００９】
前記粘着シートはロール状のシートであり、強粘着部分と弱粘着部分をシートの伸長方向と垂直に交互に設けてもよいし、シートの伸長方向と同一方向に設けてもよい。また、強粘着部分と弱粘着部分を波型に交互に設けてもよい。
前記インレット層の上下に設ける２つの前記粘着層には、粘着部分の形状の異なる前記粘着シートを用いることが望ましい。また、前記インレット層の上側または下側に前記粘着層を設けてもよい。また、弱粘着層の粘着強度をゼロとし、粘着力無しにしてもよい。
【００１０】
上述のように、インレット層の上下または片側に、強粘着部分と弱粘着部分が交互に形成された粘着シートを設けることにより、ＩＣタグを貼り付けた対象物から剥がす際に、粘着シートの強粘着部分にインレット層が付着し、弱粘着部分には付着せず、インレット層が切れ切れに切れて破壊される。これにより、ＩＣタグの再利用が不可能になる。
インレット層の上下にこの粘着シートを設ける場合には、上下の粘着層の強粘着部分の位置がずれるように配置することにより、上の強粘着部分と下の強粘着部分にインレット層のアンテナ回路やＩＣチップが切れ切れに切れて付着し、インレット層が確実に破壊される。
【００１１】
このとき、粘着部分の形成形状が異なる粘着シートをインレット層の上下に置くことにより、上下の強粘着部分がずれやすくなる。すなわち、ロール状のシートの進行方向に垂直、交互に強粘着部分と弱粘着部分を形成した粘着シートと、シートの進行方向に水平、交互に強粘着部分と弱粘着部分を形成した粘着シートをインレット層の上下にそれぞれ用いればよい。
また、波状に強粘着部分と弱粘着部分を交互に配置した粘着シートを使用してもよく、これを上下に使用すれば、上下の強粘着部分がずらしやすい。
【００１２】
第２の発明は、ＩＣチップおよびアンテナ回路から成るインレット層の破壊機能を持つＩＣタグの製造方法であって、基材上に強粘着部分と弱粘着部分が交互に設けられた第１の粘着シートを貼り合せる工程（ａ）と、前記第１の粘着シート上に前記インレット層を貼り合せる工程（ｂ）と、前記インレット層上に強粘着部分と弱粘着部分が交互に設けられた第２の粘着シートを貼り合せる工程（ｃ）と、前記第２の粘着シート上に上紙を貼り合せる工程（ｄ）と、を有することを特徴とするＩＣタグの製造方法である。
前記第１の粘着シートと前記第２の粘着シートは、前記第１の粘着シートの強粘着部分と、前記第２の粘着シートの強粘着部分の位置が上下でずれるように設けられることが好ましい。
前記基材、前記第１および第２の粘着シート、および、前記上紙はロール状のシートであり、前記インレット層は、複数のＩＣタグ用インレットを含むロール状のシートであり、前記工程（ａ）、前記工程（ｂ）、前記工程（ｃ）、前記工程（ｄ）により複数のＩＣタグを含むシートが作成された後、個々のＩＣタグに切断される。
【００１３】
本発明によれば、インレットのアンテナ層やＩＣチップが破壊され、再利用を不可能にするＩＣタグを提供することが可能になる。
【発明を実施するための最良の形態】
【００１４】
以下、図面に基づいて本発明の好適な実施形態について詳細に説明する。
図１は、本発明のＩＣタグ１の構造を説明する図である。図１（ａ）は、ＩＣタグ１の平面図の一例、図１（ｂ）は、ＩＣタグ１をＡ−Ａ方向から見た場合の従来のＩＣタグの断面図、図１（ｃ）は、ＩＣタグ１をＡ−Ａ方向から見た場合の本発明の実施形態に係る断面図である。
【００１５】
図１（ａ）において、通常、ＩＣタグ１の上部はプラスチックフィルムや紙材等の上紙で覆われており、アンテナパターン１１やＩＣチップ１５等は見えないのが普通である。同図では、理解を容易にするため、アンテナパターン１１やＩＣチップ１５を透視した状態のＩＣタグ１を示している。
【００１６】
ＩＣタグ１内部には、アンテナパターン１１およびＩＣチップ１５、接点１３、導通路１７等が形成されている。アンテナパターン１１はコイル状であり、コイルの一端（内側）は接点１３ｂに接続され、他端（外側）は導通路１７を介して接点１３ａに接続されている。
また、ＩＣチップ１５は、無線送受信部と制御部および情報を蓄積するための記憶部を備えている。
【００１７】
上記のアンテナパターン１１、ＩＣチップ１５、接点１３、導通部１７からなるＩＣタグ１の主要部は、インレット２５として事前に製造される。ＩＣタグ１の製造時には、離型紙２９付きの粘着層２７にインレット２５、粘着層２３、および上紙２１を貼り合わせることにより、ＩＣタグ１が形成される。
離型紙２９は、ＩＣタグ１使用時に剥がして商品等のＩＣタグ被装着物に粘着層２７によって貼れるようにするためのものである。
【００１８】
図１（ｂ）に沿って、従来のＩＣタグ１の多層構造および製造方法を説明する。
【００１９】
同図に示すように、ＩＣタグ１は多層構造を成す。ＩＣタグの製造工程では、まず、両面が接着可能で片面に離型紙２９が貼り付けられた粘着層２７のもう一方の面にインレット２５を貼り付ける。さらに、粘着層２３を有する上紙２１をインレット２５の上面に貼り付けることにより、従来のＩＣタグ１が形成される。上紙２１は、インレット２５を保護する役割を持つ。
粘着層２３、２７は、それぞれ、両面テープ等で形成することが可能である。
【００２０】
製造時には、離型紙２９付きの粘着層２７、上紙２１つきの粘着層２３、インレット２５、上紙２１は、例えば７ｃｍ幅のシートであり、ロール状に巻かれている。ロール状に巻かれたインレット２５には複数のＩＣタグ用アンテナパターン１１やＩＣチップ１５等が形成されている。これらのシートを、上述の順に重ねて貼り合わせることにより、複数のＩＣタグ１を含むロール状の多層シートが製造される。
次に、個々のＩＣタグに切り分けるため、複数のＩＣタグを含む多層シートをマグネットシリンダー等により上紙３１から粘着層２７までハーフカットする。ハーフカット後、ＩＣタグ１以外の部分を除去することにより、複数のＩＣタグ１が離型紙３３に貼りついたロール状シートが製造される。
【００２１】
次に、図１（ｃ）を沿って、本実施の形態の破壊機能を持つＩＣタグ１の構造および製造手順について説明する。
図１（ｃ）は、インレット２５の両面に粘着力に強弱のある粘着シートを設ける場合の断面図である。
【００２２】
図１（ｃ）に示すように、離型紙３３が片面に付いた両面接着シートからなる粘着層３５に、粘着度に強弱のある粘着層ｂ３７を貼り付ける。粘着層３５の両面には、粘着度は強い接着剤を使用し、接着層３５の全面に塗布する。被装着物に適した粘着度の強い接着剤を使用し、被装着物からこの粘着層が剥がれないようにする。
このとき、粘着層ｂ３７の弱粘着部分は粘着剤を塗布せずに粘着強度をゼロにしてもよい。
【００２３】
図２は、粘着度に強弱のある粘着シート５１を説明する図である。
図２（ａ）に示すように、粘着度に強弱のある粘着シート５１も、ＩＣタグ１を構成する他の素材であるインレット２５や上紙２１等と同様にロール状のシートである。
図２（ｂ）は、粘着度に強弱のある粘着シート５１の断面図である。すなわち、ベースフィルム５３の上面に粘着度に強弱のある粘着層５５が設けられ、その上面を離型紙５７で覆った構造である。
【００２４】
強粘着層３５の上に強弱あり粘着層ｂ３７を貼り付ける場合には、強粘着層３５に図２に示す強弱あり粘着シート５１のベースフィルム５３が貼り付けられることになる。
【００２５】
次に、図１（ｃ）に示すように、強弱あり粘着層ｂ３７の上面にインレット２５が貼り付けられる。
この場合には、強弱あり粘着シート５１の離型紙５７を剥ぎ、強弱あり粘着層５５を露出させてインレット２５を置き、貼り付ける。
【００２６】
次に、図１（ｃ）に示すように、インレット２５の上面に、強弱あり粘着層ａ３１を貼り付ける。この場合、図２に示す強弱あり粘着シート５１の離型紙５７を剥ぎ、インレット２５の上面に置き、貼り付ける。
【００２７】
次に、図１（ｃ）に示すように、強弱あり粘着シート５１の上面に、粘着層２３付きの上紙２１を貼り付ける。
このとき、粘着層２３の粘着強度は、上紙２１の材質によって上紙２１のみがＩＣタグ１から剥がれることのない十分な強度にする。
以上の工程により、破壊機能付きのＩＣタグ１が製造できる。
【００２８】
図２（ｃ）、図２（ｄ）、図２（ｅ）は、強弱あり粘着層５５を上から見た平面図である。
図２（ｃ）は、粘着シート５１の進行方向に垂直、帯状に粘着度の強い部分と弱い部分が設けられている。
【００２９】
粘着度の強い部分には、例えば、インレット２５のＩＣチップ１５やアンテナパターン１１の材質（例えばアルミニウム製）を強力に接着する接着剤を使用する。一方、粘着度の弱い部分には、インレット２５の材質への接着度が弱い接着剤を使用する。
このようにシート上で粘着度の異なる部分のある粘着シート５１は、例えば、粘着式クリーナ用ローラー（例えば、特開２００７−２９６７９および登録実用新案第３１３１７５５号）として周知であり、これらの技術を使用して、帯状に粘着度の強弱部分を設けた粘着シート５１を製造される。
【００３０】
また、図２（ｄ）は、粘着シート５１の進行方向に、帯状に、図２（ｅ）は、粘着シート５１の進行方向に垂直に、波状に粘着強度の強い部分と弱い部分が設けられている。
【００３１】
以上のような粘着度に強弱のある粘着シートを、図１（ｃ）の強弱あり粘着層ａ３１およびｂ３７に用いることにより、ＩＣタグ１を被装着物から剥がしたとき、粘着度の強い部分にインレット２５のアンテナパターン１１やＩＣチップ１５が貼りつき、粘着度の弱い部分には貼り付かずにインレット２５側に残り、インレット２５のアンテナパターン１１やＩＣチップ１５が切れ切れになり、破壊される。
【００３２】
ここで、強弱あり粘着層ａ３１およびｂ３７には、それぞれ、例えば図２（ｃ）〜図２（ｅ）の異なる形状の強弱あり粘着シート５１を用いるとよい。これにより、インレット２５の上下面で、接着度の強い部分の位置がずれて、ＩＣタグ１を剥がすときに引き剥がす力に偏りができ、インレット２５がより不規則にちぎれやすくなる。
【００３３】
また、強弱あり粘着層ａ３１およびｂ３７に、例えば図２（ｃ）〜図２（ｅ）の同一形状の強弱あり粘着シート５１を用いる場合には、貼り付け時に、上下面で接着度の強い部分がずれるように配置すればよい。
さらに、強弱あり粘着層ａ３１およびｂ３７に、異なるロール幅の強弱あり粘着シート５１を用いてもよい。例えば、上側の強弱あり粘着層ａ３１のシートの幅を、下側の強弱あり粘着層ｂ３７のシート幅よりも狭める。これにより、上下での引き剥がそうとする力に偏りができ、インレット２５が破壊されやすくなる。
【００３４】
図１（ｃ）では、インレット２５の上下に強弱あり粘着層ａ３１およびｂ３７を設けたが、強弱あり粘着層はどちらか一方でもよい。
【００３５】
尚、本発明は、前述した実施の形態に限定されるものではなく、種々の改変が可能であり、それらも、本発明の技術範囲に含まれる。
【図面の簡単な説明】
【００３６】
【図１】本実施の形態に係るＩＣタグ構造の説明図
【図２】強弱あり粘着シート５１の説明図
【符号の説明】
【００３７】
１………ＩＣタグ
１１………アンテナパターン
１３………接点
１５………ＩＣチップ
２１………上紙
２３、２７……粘着層
２５………インレット
２９、３３、５７………離型紙
３１、３７、５５………強弱あり粘着層
３５………強粘着層
５１………強弱あり粘着シート
５３………ベースフィルム
【図１】
2009093448.tif 000003
【図２】
2009093448.tif 000004